(57)【特許請求の範囲】
【請求項１】
一対のファスナーテープ（２０）と、
前記一対のファスナーテープの対向するテープ側縁部（２０ａ）にそれぞれ設けられ、複数のファスナーエレメント（３１，７１）を有する一対のファスナーエレメント列（３０，７０）と、
前記ファスナーエレメント列を噛合・分離させるスライダー（４０）と、
前記一対のファスナーエレメント列に設けられ、前記スライダーの摺動を停止させる止具（５０，６０）と、を備えるスライドファスナーであって、
前記止具は、前記ファスナーエレメント列の隣り合う２つ以上の前記ファスナーエレメント間に充填されると共に、前記ファスナーエレメントそれぞれの噛合頭部（３２，７２）の上面を覆う紫外線硬化性樹脂からなり、
前記止具が設けられた部分の前記ファスナーエレメントの反転部（３５，３６，７５）が前記止具の外部に露出していることを特徴とするスライドファスナー。
【請求項２】
前記ファスナーエレメント列（３０，７０）は、前記ファスナーテープ（２０）の前記テープ側縁部（２０ａ）に縫い糸（１１）により縫着されており、
前記止具（５０，６０）は、前記縫い糸よりも前記ファスナーエレメント（３１，７１）の前記反転部（３５，３６，７５）側に出ないことを特徴とする請求項１に記載のスライドファスナー。
【請求項３】
前記ファスナーエレメント列（３０）は、噛合頭部（３２）と、前記噛合頭部の上端部から前記ファスナーテープ（２０）の表面に沿って幅方向外側に延びる上脚部（３３）と、前記噛合頭部の下端部から前記ファスナーテープの裏面に沿って幅方向外側に延びる下脚部（３４）と、を有する複数のファスナーエレメント（３１）と、前記上脚部の後端部と隣り合う前記上脚部の後端部とを連結する上側反転部（３５）と、前記下脚部の後端部と隣り合う前記下脚部の後端部とを連結する下側反転部（３６）と、を備えるジグザグ状のファスナーエレメント列であることを特徴とする請求項１又は２に記載のスライドファスナー。
【請求項４】
前記止具（５０）は、その少なくとも一部が前記スライダー（４０）のエレメント案内路（４９）内に入り込むことを特徴とする請求項１〜３のいずれかに記載のスライドファスナー。
【発明の詳細な説明】
【技術分野】
【０００１】
この発明は、スライドファスナーに関し、詳細には、スライドファスナーのスライダーの摺動を停止させる止具に関する。
【背景技術】
【０００２】
従来のスライドファスナーとしては、一対のファスナーテープと、一対のファスナーテープの対向するテープ側縁部にそれぞれ設けられ、複数のファスナーエレメントから構成される一対のファスナーエレメント列と、ファスナーエレメント列を噛合・分離させるスライダーと、一対のファスナーエレメント列の上端部にそれぞれ設けられ、スライダーの前進を停止させる上止具と、一対のファスナーエレメント列の下端部のファスナーエレメントが噛合した部分に設けられ、スライダーの後進を停止させる下止具と、を備え、上止具及び下止具が、液状の紫外線硬化性樹脂をファスナーエレメント列上に滴下し、紫外線ランプで硬化させることにより形成されるものが知られている（例えば、特許文献１参照）。
【先行技術文献】
【特許文献】
【０００３】
【特許文献１】欧州特許出願公開第１１７９３０４号公報
【発明の概要】
【発明が解決しようとする課題】
【０００４】
しかしながら、上記特許文献１に記載のスライドファスナーでは、上止具及び下止具の形成位置が考慮されていないため、上止具及び下止具がファスナーエレメントの反転部よりも幅方向外側にはみ出した状態に形成されてしまうことがあり、このため、スライドファスナーの外観性が低下する可能性があった。また、上止具及び下止具がファスナーエレメントの反転部よりも幅方向外側にはみ出した状態に形成されてしまうことがあるため、上止具がスライダーのフランジに引っ掛かり、上止具がスライダー内に入り込まないことから、スライドファスナーが最後まで閉まりづらくなる可能性があった。【０００５】
本発明は、前述した事情に鑑みてなされたものであり、その目的は、スライドファスナーの外観性を向上することができ、また、最後まで容易に閉めることができるスライドファスナーを提供することにある。
【課題を解決するための手段】
【０００６】
本発明の上記目的は、下記の構成により達成される。
（１）一対のファスナーテープと、一対のファスナーテープの対向するテープ側縁部にそれぞれ設けられ、複数のファスナーエレメントを有する一対のファスナーエレメント列と、ファスナーエレメント列を噛合・分離させるスライダーと、一対のファスナーエレメント列に設けられ、スライダーの摺動を停止させる止具と、を備えるスライドファスナーであって、止具は、ファスナーエレメント列の隣り合う２つ以上のファスナーエレメント間に充填されると共に、ファスナーエレメントそれぞれの噛合頭部の上面を覆う紫外線硬化性樹脂からなり、止具が設けられた部分のファスナーエレメントの反転部が止具の外部に露出していることを特徴とするスライドファスナー。
（２）ファスナーエレメント列は、ファスナーテープのテープ側縁部に縫い糸により縫着されており、止具は、縫い糸よりもファスナーエレメントの反転部側に出ないことを特徴とする（１）に記載のスライドファスナー。
（３）ファスナーエレメント列は、噛合頭部と、噛合頭部の上端部からファスナーテープの表面に沿って幅方向外側に延びる上脚部と、噛合頭部の下端部からファスナーテープの裏面に沿って幅方向外側に延びる下脚部と、を有する複数のファスナーエレメントと、上脚部の後端部と隣り合う上脚部の後端部とを連結する上側反転部と、下脚部の後端部と隣り合う下脚部の後端部とを連結する下側反転部と、を備えるジグザグ状のファスナーエレメント列であることを特徴とする（１）又は（２）に記載のスライドファスナー。
（４）止具は、その少なくとも一部がスライダーのエレメント案内路内に入り込むことを特徴とする（１）〜（３）のいずれかに記載のスライドファスナー。
【発明の効果】
【０００７】
本発明のスライドファスナーによれば、止具は、ファスナーエレメント列の隣り合う２つ以上のファスナーエレメント間に充填されると共に、ファスナーエレメントそれぞれの噛合頭部の上面を覆う紫外線硬化性樹脂からなり、止具が設けられた部分のファスナーエレメントの反転部が止具の外部に露出しているため、スライドファスナーの外観性を向上することができる。また、ファスナーエレメントの反転部が止具の外部に露出しているので、スライドファスナーを閉めた際に止具がスライダー内に入り込んで、スライドファスナーを最後まで容易に閉めることができる。
【図面の簡単な説明】
【０００８】
【図１】本発明に係るスライドファスナーの第１実施形態を説明する表面図である。
【図２】最後まで閉めた状態のスライドファスナーのスライダーの周辺の拡大断面図である。
【図３】図１に示す上止具の周辺の拡大表面図である。
【図４】図３のＡ−Ａ線矢視断面図である。
【図５】図１に示す下止具の周辺の拡大表面図である。
【図６】図５のＢ−Ｂ線矢視断面図である。
【図７】本発明に係るスライドファスナーの第２実施形態の上止具の拡大断面図である。
【図８】第２実施形態のスライドファスナーの下止具の拡大断面図である。
【発明を実施するための形態】
【０００９】
以下、本発明に係るスライドファスナーの各実施形態について、図面に基づいて詳細に説明する。なお、以後の説明において、ファスナーテープに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とし、スライダーに関しては、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。また、ファスナーテープの左右方向は幅方向とも言う。
【００１０】
（第１実施形態）
まず、図１〜図６を参照して、本発明に係るスライドファスナーの第１実施形態について説明する。
【００１１】
本実施形態のスライドファスナー１０は、図１に示すように、左右一対のファスナーテープ２０と、左右一対のファスナーテープ２０の対向するテープ側縁部２０ａに取り付けられる左右一対のファスナーエレメント列３０と、ファスナーエレメント列３０を噛合・分離させるスライダー４０と、を備える。そして、スライダー４０を前後方向に摺動させることにより、ファスナーエレメント列３０が噛合・分離される。
【００１２】
ファスナーエレメント列３０は、図２〜図４に示すように、合成樹脂製のモノフィラメントを折り曲げることにより形成されており、噛合頭部３２と、噛合頭部３２の上端部からファスナーテープ２０の表面に沿って幅方向外側に延びる上脚部３３と、噛合頭部３２の下端部からファスナーテープ２０の裏面に沿って幅方向外側に延びる下脚部３４と、を有する複数のファスナーエレメント３１と、上脚部３３の後端部と隣り合う上脚部３３の後端部とを連結する上側反転部３５と、下脚部３４の後端部と隣り合う下脚部３４の後端部とを連結する下側反転部３６と、を備えるジグザグ状のファスナーエレメント列である。また、ファスナーエレメント列３０は、ファスナーテープ２０のテープ側縁部２０ａに縫い糸１１により縫着されている。なお、上記幅方向外側とは、左右一対のファスナーテープ２０の対向するテープ側縁部２０ａから離れる方向のことであり、上記幅方向外側に対する幅方向内側とは、左右一対のファスナーテープ２０の対向するテープ側縁部２０ａに接近する方向のことである。また、上脚部３３及び下脚部３４の後端部に対する上脚部３３及び下脚部３４の前端部とは、上脚部３３及び下脚部３４と噛合頭部３２との境界部分のことである。
【００１３】
スライダー４０は、図１及び図２に示すように、上下方向に離間して平行配置される上翼板４１及び下翼板４２と、上翼板４１及び下翼板４２の左右両側縁に沿って互いに近接する方向に突出して設けられる左右一対のフランジ４３と、上翼板４１及び下翼板４２を前端部において連結する案内柱４４と、上翼板４１の上面に設けられる引手取付部４５と、引手取付部４５に回動自在に取り付けられる引手４６と、を備える。これにより、スライダー４０の前部には案内柱４４により分離された左右の肩口４７が形成され、スライダー４０の後部には後口４８が形成される。そして、上翼板４１と下翼板４２との間には、左右の肩口４７と後口４８とを連通する略Ｙ字状のエレメント案内路４９が設けられており、このエレメント案内路４９は、左右一対のファスナーエレメント列３０を挿通させる通路を構成する。これにより、左右の肩口４７からエレメント案内路４９に入ったファスナーエレメント列３０は、スライダー４０の摺動により後口４８方向に移動され、対向するファスナーエレメント列３０と噛合し、分離するときは、この逆の動きをすることで行う。また、フランジ４３は、ファスナーエレメント列３０の上側及び下側反転部３５，３６と摺接する。
【００１４】
また、スライドファスナー１０は、図１に示すように、左右一対のファスナーエレメント列３０の上端部にそれぞれ形成され、スライダー４０の前進を停止させる上止具５０と、左右一対のファスナーエレメント列３０の下端部のファスナーエレメント３１が噛合した部分に形成され、スライダー４０の後進を停止させる下止具６０と、を備える。なお、上止具５０は、左右一対のファスナーエレメント列３０のどちらか一方のみに形成されてもよい。また、下止具６０の代わりに蝶棒、箱棒、及び箱体からなる開離嵌挿具を取り付けてもよい。
【００１５】
上止具５０は、図２〜図４に示すように、ファスナーエレメント列３０の上端部の４つのファスナーエレメント３１間に液状の紫外線硬化性樹脂を充填し、紫外線ライトで硬化させることにより形成される。また、液状の紫外線硬化性樹脂は、ファスナーエレメント３１の噛合頭部３２、上脚部３３、及び下脚部３４とファスナーテープ２０により囲まれる内部空間Ｓ１内にも充填される。
【００１６】
また、本実施形態では、上止具５０の上部は、液状の紫外線硬化性樹脂が縫い糸１１により塞き止められるので、縫い糸１１よりも上側反転部３５側に出ないように形成され、上止具５０の下部は、液状の紫外線硬化性樹脂の表面張力により、ファスナーエレメント３１の噛合頭部３２及び下脚部３４よりも外側に出ないように形成される。これらにより、上止具５０が形成された部分のファスナーエレメント３１の上側及び下側反転部３５，３６は上止具５０の外部に露出している。このため、図２に示すように、スライダー４０を前進させ、スライドファスナー１０を最後まで閉めたとき、上止具５０がスライダー４０のフランジ４３に引っ掛からずに、上止具５０の全てがスライダー４０のエレメント案内路４９内に入り込むようになっている。また、上止具５０が形成された部分のファスナーエレメント３１の噛合頭部３２の上面は上止具５０により覆われている。ここで、液状の紫外線硬化性樹脂を縫い糸１１により塞き止めるとは、噛合頭部３２の上方から滴下された液状の紫外線硬化性樹脂が、噛合頭部３２側から反転部３５側へと幅方向外側に流動し、ファスナーエレメント３１の上面を覆う範囲を広げよう作用するものの、その作用を制限すべく、縫い糸１１が液状の紫外線硬化性樹脂の流動を塞き止めることである。
【００１７】
下止具６０は、図５及び図６に示すように、左右一対のファスナーエレメント列３０の下端部の４つ（左右で合計８つ）のファスナーエレメント３１が噛合した部分に液状の紫外線硬化性樹脂を充填し（染み込ませ）、紫外線ライトで硬化させることにより形成される。また、液状の紫外線硬化性樹脂は、上記内部空間Ｓ１内にも充填される。
【００１８】
また、本実施形態では、下止具６０の上部は、液状の紫外線硬化性樹脂が縫い糸１１により塞き止められるので、縫い糸１１よりも上側反転部３５側に出ないように形成され、下止具６０の下部は、上記内部空間Ｓ１内に充填されるので、内部空間Ｓ１よりも下方に出ないように形成される。これらにより、下止具６０が形成された部分のファスナーエレメント３１の上側及び下側反転部３５，３６は下止具６０の外部に露出している。また、下止具６０が形成された部分のファスナーエレメント３１の噛合頭部３２の上面は下止具６０により覆われている。
【００１９】
以上説明したように、本実施形態のスライドファスナー１０によれば、上止具５０及び下止具６０は、少なくとも２つ以上のファスナーエレメント３１間に充填される紫外線硬化性樹脂からなり、上止具５０及び下止具６０が設けられた部分のファスナーエレメント３１の上側及び下側反転部３５，３６が上止具５０及び下止具６０の外部に露出し、上止具５０及び下止具６０が設けられた部分のファスナーエレメント３１の噛合頭部３２の上面が上止具５０及び下止具６０により覆われているため、スライドファスナー１０の外観性を向上することができる。また、ファスナーエレメント３１の上側及び下側反転部３５，３６が上止具５０の外部に露出しているので、スライドファスナー１０を閉めた際に上止具５０がスライダー４０のエレメント案内路４９内に入り込んで、スライドファスナー１０を最後まで容易に閉めることができる。
【００２０】
また、本実施形態のスライドファスナー１０によれば、上止具５０及び下止具６０が縫い糸１１よりも上側反転部３５側に出ないため、スライドファスナー１０の外観性を更に向上することができる。
【００２１】
（第２実施形態）
次に、図７及び図８を参照して、本発明に係るスライドファスナーの第２実施形態について説明する。なお、第１実施形態と同一又は同等部分については、図面に同一符号を付してその説明を省略或いは簡略化する。
【００２２】
本実施形態のスライドファスナー１０では、図７及び図８に示すように、ファスナーテープ２０のテープ側縁部２０ａに、ファスナーエレメント列３０の代わりに、ファスナーエレメント列７０が取り付けられている。
【００２３】
ファスナーエレメント列７０は、図７に示すように、合成樹脂製のモノフィラメントを一定方向に巻回すことにより形成されており、噛合頭部７２と、噛合頭部７２の上端部から幅方向外側に延びる上脚部７３と、噛合頭部７２の下端部から幅方向外側に延びる下脚部７４と、を有する複数のファスナーエレメント７１と、上脚部７３の後端部と隣り合う下脚部７４の後端部とを連結する反転部７５と、を備えるコイル状のファスナーエレメント列である。また、ファスナーエレメント列７０は、その噛合頭部７２、上脚部７３、下脚部７４、及び反転部７５により囲まれる内部空間Ｓ２内に配置される芯紐１２と共に、ファスナーテープ２０のテープ側縁部２０ａの表面に縫い糸１１により縫着されている。
【００２４】
また、本実施形態においても、図７及び図８に示すように、上記第１実施形態と同様に、左右一対のファスナーエレメント列７０の上端部に上止具５０がそれぞれ形成されると共に、左右一対のファスナーエレメント列７０の下端部のファスナーエレメント７１が噛合した部分に下止具６０が形成されている。
【００２５】
上止具５０は、図７に示すように、ファスナーエレメント列７０の上端部の２つ以上のファスナーエレメント７１間に液状の紫外線硬化性樹脂を充填し、紫外線ライトで硬化させることにより形成される。また、液状の紫外線硬化性樹脂は、上記内部空間Ｓ２内にも充填される。
【００２６】
また、本実施形態では、上止具５０の上部は、液状の紫外線硬化性樹脂が縫い糸１１により塞き止められるので、縫い糸１１よりも反転部７５側に出ないように形成され、上止具５０の下部は、液状の紫外線硬化性樹脂の表面張力及びファスナーテープ２０の上面により、ファスナーエレメント７１の噛合頭部７２及び下脚部７４よりも外側に出ないように形成される。これらにより、上止具５０が形成された部分のファスナーエレメント７１の反転部７５は上止具５０の外部に露出している。また、上止具５０が形成された部分のファスナーエレメント７１の噛合頭部７２の上面は上止具５０により覆われている。ここで、液状の紫外線硬化性樹脂を縫い糸１１により塞き止めるとは、噛合頭部７２の上方から滴下された液状の紫外線硬化性樹脂が、噛合頭部７２側から反転部７５側へと幅方向外側に流動し、ファスナーエレメント７１の上面を覆う範囲を広げよう作用するものの、その作用を制限すべく、縫い糸１１が液状の紫外線硬化性樹脂の流動を塞き止めることである。
【００２７】
下止具６０は、図８に示すように、左右一対のファスナーエレメント列７０の下端部の２つ以上（左右で合計４つ以上）のファスナーエレメント７１が噛合した部分に液状の紫外線硬化性樹脂を充填し（染み込ませ）、紫外線ライトで硬化させることにより形成される。また、液状の紫外線硬化性樹脂は、上記内部空間Ｓ２内にも充填される。
【００２８】
また、本実施形態では、下止具６０の上部は、液状の紫外線硬化性樹脂が縫い糸１１により塞き止められるので、縫い糸１１よりも反転部７５側に出ないように形成され、下止具６０の下部は、上記内部空間Ｓ２内に充填されるので、内部空間Ｓ２よりも下方に出ないように形成される。これらにより、下止具６０が形成された部分のファスナーエレメント７１の反転部７５は下止具６０の外部に露出している。また、下止具６０が形成された部分のファスナーエレメント７１の噛合頭部７２の上面は下止具６０により覆われている。
【００２９】
以上説明したように、本実施形態のスライドファスナー１０によれば、上止具５０及び下止具６０は、少なくとも２つ以上のファスナーエレメント７１間に充填される紫外線硬化性樹脂からなり、上止具５０及び下止具６０が設けられた部分のファスナーエレメント７１の反転部７５が上止具５０及び下止具６０の外部に露出し、上止具５０及び下止具６０が設けられた部分のファスナーエレメント７１の噛合頭部７２の上面が上止具５０及び下止具６０により覆われているため、スライドファスナー１０の外観性を向上することができる。また、ファスナーエレメント７１の反転部７５が上止具５０の外部に露出しているので、スライドファスナー１０を閉めた際に上止具５０がスライダー４０のエレメント案内路４９内に入り込んで、スライドファスナー１０を最後まで容易に閉めることができる。
その他の構成については、上記第１実施形態と同様である。
【符号の説明】
【００３０】
１０    スライドファスナー
１１    縫い糸
２０    ファスナーテープ
２０ａ  テープ側縁部
３０    ファスナーエレメント列（ジグザグ状のファスナーエレメント列）
３１    ファスナーエレメント
３２    噛合頭部
３３    上脚部
３４    下脚部
３５    上側反転部
３６    下側反転部
４０    スライダー
４９    エレメント案内路
５０    上止具（止具）
６０    下止具（止具）
７０    ファスナーエレメント列
７１    ファスナーエレメント
７５    反転部
【図１】
0005464531.tif 000002
【図２】
0005464531.tif 000003
【図３】
0005464531.tif 000004
【図４】
0005464531.tif 000005
【図５】
0005464531.tif 000006
【図６】
0005464531.tif 000007
【図７】
0005464531.tif 000008
【図８】
0005464531.tif 000009